(57)【要約】【課題】  浴室などの湿気の多い部屋で、薬品などを使うことなく、毎日簡単な方法で、カビの発生を未然に防ぐことが出来るようにする。【解決手段】  まんべんなく無数に穴（１）のあいた中空のパイプ（２）の片方端部を給湯管（６）に連結させ、動力により回転すると同時に、無数の穴（１）からお湯を放射状に噴出し、室内のあらゆる箇所にお湯を浴びせかけるようにする。またパイプは軌道を移動することにより、より隅々までお湯をかけることを可能とし、カビの発生を未然に防ぐことが可能となる。【選択図】  図３
2005034561.tif 000002
【特許請求の範囲】
【請求項１】
まんべんなく無数に穴（１）のあいた中空のパイプ（２）があり、そのパイプ（２）の両端は壁面（３）に各々接し、または天井（４）と床面（５）に各々接しており、パイプ（２）の片方端部は給湯管（６）に連結しており、パイプ（２）は動力により回転すると同時に無数の穴（１）からお湯を放射状に噴出し、室内のあらゆる箇所にお湯を浴びせかけることが出来ることを特徴としたカビ防止散水装置。
【請求項２】
パイプの接している壁面（３）には横・縦・斜め、弧、またはそれらの組み合わせで構成される軌道（７）、または循環型の軌道（７’）があり、動力により軌道（７）（７‘）を往復、または循環することを特徴とした、請求項１のカビ防止散水装置。
【請求項３】
複数のパイプ（２）が各々、ねじれの位置に存在し、その各々のパイプ（２）が互いにぶつかり合うことのないように、時間差で軌道（７）（７‘）を往復、または循環することを特徴とする、請求項２のカビ防止散水装置。
【請求項４】
室外に始動や停止、湯温調節、スピード調節など操作・制御のための装置（８）が設けられており、室内には緊急の停止装置（９）が設けられていることを特徴とする、請求項１のカビ防止散水装置。
【請求項５】
室外に始動や停止、湯温調節、スピード調節など操作・制御のための装置（８）が設けられており、室内には緊急の停止装置（９）が設けられていることを特徴とする、請求項２のカビ防止散水装置。
【請求項６】
室外に始動や停止、湯温調節、スピード調節など操作・制御のための装置（８）が設けられており、室内には緊急の停止装置（９）が設けられていることを特徴とする、請求項３のカビ防止散水装置。
【発明の詳細な説明】
【発明の詳細な説明】
【技術分野】
【０００１】  本発明は、浴室や洗面室、調理室などカビが生えやすく、かつ構造上、または室内に設置されている備品の性質上、水やお湯がかかっても支障のない場所において使用するカビ防止散水装置である。動力で回転し、まんべんなく無数に穴のあいた、給湯管に連結している中空のパイプから、室内の壁や天井、床、その他至るところに熱湯をふきかけることで、カビの発生を防ぐしくみである。本発明は、主に浴室での使用が効果的と思われる。
【背景技術】
【０００２】  日本の風土上の問題で、水周りにカビが生えやすく、さらに昨今の住宅事情で、窓のないユニットバスなどが増えている現状では、特に浴室のカビ問題が深刻である。【０００３】  最近では、喘息やアレルギー、また諸病気の原因としてカビの発生が指摘されており、カビによる健康への悪影響が問題視されてきている。【０００４】  しかし浴室で使用する、カビとり薬剤などは塩素系の刺激臭があるものが多く、別の意味での人体への悪影響が懸念される。実際、最近では化学薬品を敬遠する動きが社会的に広がる傾向があり、できれば薬品使わずにカビとりを行えることができれば望ましい。【０００４】  事前に散布してカビを防止する薬品もあるが、これも化学薬品である以上、上記同様の懸念が残る。
【発明が解決しようとする課題】
【０００５】  カビは一度生えてしまうと、こすり洗いしても色素が沈着するために、きれいな状態に戻すためには大変な労力、または漂白剤を必要としてしまう。その上、再び簡単には生やすくなるため、一番大事なことは未然にはえないように予防する努力が必要である。
【０００６】  しかし毎日の手入れとなると、なるべく手間や時間をかけることなく、簡単に行えることも必要条件である。
【０００７】  ところで、カビは胞子を空気中に飛ばし、付着した場所に根を下ろし菌糸を伸ばして生育するという性質上、日頃から７０℃前後以上のお湯を、浴室の隅々までかけておけば、発生を抑えることができるのである。
【０００８】  以上のことを併せて考慮した上で、人体に悪影響を及ぼすことなく、簡単に、カビが生えることを予防することのできる装置が望まれる。
【課題を解決するための手段】
【０００９】  まんべんなく無数に穴（１）のあいた中空のパイプ（２）があり、そのパイプ（２）の両端は壁面（３）に各々接し、または天井（４）と床面（５）に各々接している。パイプ（２）の片方端部は給湯管（６）に連結しており、そのパイプ（２）は動力により回転すると同時に無数の穴（１）から勢いよくお湯を放射状に噴出するために、室内のあらゆる箇所に、お湯を浴びせかけることが出来るのである。
【０００１０】  このように、あらゆる場所に７０℃前後以上のお湯を、カビが生える事前に散布しておくことにより、未然にカビの発生を防ぐことが可能となるのである。
【００１１】  また、上記パイプ（２）の接している壁面（３）には横・縦・斜め、弧またはそれらの組み合わせで構成される軌道（７）、または循環型の軌道（７’）を設け、動力により軌道（７）（７‘）を往復、または循環させることにより、さらに確実に室内のあらゆる箇所に、お湯を浴びせかけることが出来るのである
【００１２】  さらに複数のパイプ（２）を、各々ねじれの位置に設置し、その各々のパイプ（２）が互いにぶつかり合うことのないように、時間差で軌道（７）（７‘）を往復、または循環させることにより、尚さらに確実に室内のあらゆる箇所に、お湯を浴びせかけることが出来るのである。
【００１３】  室外に始動や停止、湯温調節、スピード調節など操作・制御のための装置（８）を設けることにより、浴室、またはその他の部屋を使用後に、簡単に始動させ停止させることが可能となる。また、万が一の事故予防のために、室内にも緊急の停止装置（９）を設けることを安全上必要とする。
【００１４】  パイプ（２）の素材によっては、作動していない際の通常の停止位置を、水平方向のパイプ（２）においては、天井付近に設定して置けば、洗濯物などの干し物をする際の、ハンガーパイプとしても利用可能である。また、垂直方向のパイプ（２）においても、位置によってはバリアフリー用の、つかまり棒として利用することも可能である。
【発明を実施するための最良の形態】
【０００１５】  本発明は、まんべんなく無数に穴（１）のあいた中空のパイプ（２）があり、そのパイプ（２）の両端は壁面（３）に各々接し、または天井（４）と床面（５）に各々接しており、パイプ（２）の片方端部は給湯管（６）に連結しており、そのパイプ（２）は動力により回転すると同時に無数の穴（１）から勢いよくお湯を放射状に噴出するために、室内のあらゆる箇所に、お湯を浴びせかけることが出来るようになっている。【０００１６】  本発明は、このようにして、あらゆる場所に７０℃前後以上のお湯を、カビが生える事前に散布しておくことにより、未然にカビの発生を防ぐことを目的としている。【００１７】  また、上記パイプ（２）の接している壁面（３）には横・縦・斜め、弧またはそれらの組み合わせで構成される軌道（７）、または循環型の軌道（７’）を設け、動力により軌道（７）（７‘）を往復、または循環させることにより、さらに確実に室内のあらゆる箇所に、お湯を浴びせかけることが出来るのである【００１８】  さらに複数のパイプ（２）を、各々ねじれの位置に設置し、その各々のパイプ（２）が互いにぶつかり合うことのないように、時間差で軌道（７）（７‘）を往復、または循環させることにより、尚さらに確実に室内のあらゆる箇所に、お湯を浴びせかけることが出来るのである。【００１９】  室外に始動や停止、湯温調節、スピード調節など操作・制御のための装置（８）を設けることにより、浴室、またはその他の部屋を使用後に、簡単に始動させ停止させることが可能となる。また、万が一の事故予防のために、室内にも緊急の停止装置（９）を設けることを安全上必要とする。【００２０】  パイプ（２）の素材によっては、作動していない際の通常の停止位置を、水平方向のパイプ（２）においては、天井付近に設定して置けば、洗濯物などの干し物をする際の、ハンガーパイプとしても利用可能である。また、垂直方向のパイプ（２）においても、位置によってはバリアフリー用の、つかまり棒として利用することも可能である。
【発明の効果】
このようの、前に挙げた課題の全ての条件を満たす本発明により、人体に悪影響を及ぼすことなく、しかも毎日使用後にボタンを押すだけという簡単な方法で、カビの発生をを未然に防ぐことが可能となるのである。
【図面の簡単な説明】
【図１】本発明のパイプ（２）の平面図である。
【図２】本発明のパイプ（２）の断面図である。
【図３】本発明の使用例の透視図である。
【図４】本発明の軌道（７）および（７‘）のバリエーション例である。
【符号の説明】
１  穴
２  パイプ
３  壁面
４  天井
５  床面
６  給湯管
７  軌道
７‘循環型の軌道
【図１】
2005034561.tif 000003
【図２】
2005034561.tif 000004
【図３】
2005034561.tif 000005
【図４】
2005034561.tif 000006